(57)【要約】【課題】  物品運搬体を複数の物品に容易に装着することができ、各物品を一体に保持することにより容易に運搬可能であって、さらに各物品から物品運搬体を容易に取りはずす。【解決手段】  物品運搬体７は、頂板８における指挿入孔９および頂板８の側縁８ａの間に設けられてペットボトル２の蓋部５を挿入可能な物品挿入孔１６と、頂板８の側縁８ａ側に物品挿入孔１６と一体に形成されて蓋部５における半径方向外方に張り出した縁部５ａを支持する物品支持タブ１８とを有し、物品挿入孔１６は、指挿入孔９側に位置する中央縁１６ａおよび中央縁１６ａの両端部から頂板８の側縁８ａ側に延びるように形成されて物品支持タブ１８の端部に連設される一対の腕縁１６ｂからなる自由端縁１６ｃを有し、両腕縁１６ｂ間の最大距離Ｄ１  を蓋部５の直径寸法より長く形成し、中央縁１６ａと物品支持タブ１８の先端部１８ａとの間の距離Ｄ２  を蓋部５の直径寸法より短く形成する。【選択図】      図１   
2005255208.tif 000002
【特許請求の範囲】
【請求項１】
半径方向外方に張り出す縁部を備えた複数の物品と、前記縁部を支持して前記複数の物品を一体に保持する物品運搬体とからなり、
前記物品運搬体は、頂板と、前記頂板に設けられたハンドル手段と、前記頂板における前記ハンドル手段および前記頂板の側縁の間に設けられて前記縁部を含む前記物品の頂部を挿入可能な物品挿入孔と、前記頂板の前記側縁側から前記挿入孔の内方かつ上方へ突出して前記物品挿入孔に挿入された前記頂部の前記縁部を支持する物品支持タブとを有し、
前記物品挿入孔は、前記頂板の幅方向における前記ハンドル手段側に位置する中央縁および前記中央縁の両端部から前記頂板の前記側縁側に延びるように形成されて前記物品支持タブの基端部に連設される一対の腕縁からなる自由端縁を有し、前記両腕縁間の最大距離を前記物品の前記頂部の直径寸法より長く形成し、前記中央縁と前記支持タブの先端縁との間の距離を前記頂部の直径寸法より短く形成したことを特徴とするパッケージ。
【請求項２】
前記頂板の前記側縁に折曲線を介して側板を設け、前記物品挿入孔の前記両腕縁を前記頂板の前記側縁に達するように形成し、前記物品支持タブを前記側板と一体に形成するとともに、前記物品支持タブの先端部を前記頂板の前記側縁を越えて前記頂板の幅方向における前記ハンドル手段側に突出して形成したことを特徴とする請求項１に記載のパッケージ。
【請求項３】
頂板と、前記頂板に設けられたハンドル手段と、前記頂板における前記ハンドル手段および前記頂板の側縁の間に設けられて物品の頂部を挿入可能な物品挿入孔と、前記頂板の前記側縁側から前記挿入孔の内方かつ上方へ突出して前記物品挿入孔に挿入された前記頂部における半径方向外方に張り出して形成された縁部を支持する支持タブとを有し、
前記物品挿入孔は、前記頂板の幅方向における前記ハンドル手段側に位置する中央縁および前記中央縁の両端部から前記頂板の前記側縁側に延びるように形成されて前記物品支持タブの基端部に連設される一対の腕縁からなる自由端縁を有し、前記両腕縁間の最大距離を前記物品の前記頂部の直径寸法よりも長く形成し、前記中央縁と前記支持タブの先端縁との間の距離を前記頂部の直径寸法より短く形成したことを特徴とする物品運搬体。
【発明の詳細な説明】
【技術分野】
【０００１】
本発明は、複数の物品を一体に保持して容易に運搬可能な物品運搬体を有するパッケージに関する。
【背景技術】
【０００２】
従来より、ペットボトルや首長形状のビンさらには円筒状の缶等の複数の物品を物品運搬体によって一体に保持することにより複数の物品を容易に運搬可能なパッケージが知られている。
【０００３】
このパッケージにおける物品は、例えばペットボトルや首長形状のビンにおいては頂部として蓋部を有し、前記蓋部の下縁はペットボトル本体またはビン本体の首部よりも半径方向外方に張り出す縁部とされている。また円筒状の缶においては頂部として頂壁を有し、前記頂壁の周縁には半径方向外方に張り出す鍔状の縁部が設けられている。
【０００４】
前記パッケージの物品運搬体は頂板を有し、前記頂板には前記物品の縁部を平面形状において複数の方向から支持する複数の支持部が形成されている。
【０００５】
そして、前記パッケージは、物品運搬体における複数の支持部によって各物品の縁部を支持することにより、各物品を一体に保持して運搬することができるようになっている（例えば、特許文献１〜５参照）。
【０００６】
このようなパッケージは、複数の支持部によって物品の縁部を平面形状における複数の方向から支持する点において、物品の縁部を堅実に支持することができ、これにより、物品運搬体を用いて確実に各物品を一体に保持して運搬することができる。
【０００７】
しかし、前述のパッケージにおいては、物品の縁部が複数の支持部により平面形状における複数の方向から支持されており、前記各物品を物品運搬体から取り外すためには全ての支持部を前記縁部から解放しなければならなかった。このため、各物品を物品運搬体から取り外すのが困難であるという問題を有していた。
【０００８】
【特許文献１】米国特許第１３１９９０２号明細書
【特許文献２】米国特許第１３４０７９２号明細書
【特許文献３】米国特許第１４７９７２９号明細書
【特許文献４】米国特許第３３８７８７９号明細書
【特許文献５】米国特許第５３２３８９５号明細書
【発明の開示】
【発明が解決しようとする課題】
【０００９】
本発明はこれらの点に鑑みてなされたものであり、複数の物品に物品運搬体を容易に装着することができ、各物品を一体に保持することにより容易に運搬可能であって、かつ各物品から物品運搬体を容易に取りはずすことができるパッケージおよび物品運搬体を提供することを目的とする。
【課題を解決するための手段】
【００１０】
前記目的を達成するため、本発明に係るパッケージの特徴は、半径方向外方に張り出す縁部を備えた複数の物品と、前記縁部を支持して前記複数の物品を一体に保持する物品運搬体とからなり、前記物品運搬体は、頂板と、前記頂板に設けられたハンドル手段と、前記頂板における前記ハンドル手段および前記頂板の側縁の間に設けられて前記縁部を含む前記物品の頂部を挿入可能な物品挿入孔と、前記頂板の前記側縁側から前記挿入孔の内方かつ上方へ突出して前記物品挿入孔に挿入された前記物品の前記縁部を支持する物品支持タブとを有し、前記物品挿入孔は、前記頂板の幅方向における前記ハンドル手段側に位置する中央縁および前記中央縁の両端部から前記頂板の前記側縁側に延びるように形成されて前記物品支持タブの基端部に連設される一対の腕縁からなる自由端縁を有し、前記両腕縁間の最大距離を前記物品の前記頂部の直径寸法より長く形成し、前記中央縁と前記支持タブの先端縁との間の距離を前記頂部の直径寸法より短く形成した点にある。
【００１１】
また、前記頂板の前記側縁に折曲線を介して側板を設け、前記物品挿入孔の前記両腕縁を前記頂板の前記側縁に達するように形成し、前記物品支持タブを前記側板と一体に形成するとともに、前記物品支持タブの先端部を前記頂板の前記側縁を越えて前記頂板の幅方向における前記ハンドル手段側に突出して形成するとよい。
【００１２】
さらに、本発明に係る物品運搬体の特徴は、頂板と、前記頂板に設けられたハンドル手段と、前記頂板における前記ハンドル手段および前記頂板の側縁の間に設けられて物品の頂部を挿入可能な物品挿入孔と、前記物品挿入孔における前記頂板の前記側縁側から前記挿入孔の内方かつ上方へ突出して前記物品挿入孔に挿入された前記頂部における半径方向外方に張り出して形成された縁部を支持する支持タブとを有し、前記物品挿入孔は、前記頂板の幅方向における前記ハンドル手段側に位置する中央縁および前記中央縁の両端部から前記頂板の前記側縁側に延びるように形成されて前記物品支持タブの基端部に連設される一対の腕縁からなる自由端縁を有し、前記両腕縁間の最大距離を前記物品の前記頂部の直径寸法よりも長く形成し、前記中央縁と前記支持タブの先端縁との間の距離を前記頂部の直径寸法より短く形成した点にある。
【００１３】
本発明に記載のパッケージおよび物品運搬体によれば、ハンドル手段によって物品運搬体を持ち上げることにより物品支持タブの先端部を頂部の縁部に引っ掛けることができ、この縁部に引っ掛かっている物品支持タブによって物品を支持することができる。これにより、物品運搬体によって各物品を一体に保持して持ち上げることができる。
【００１４】
また、頂板の側縁に折曲線を介して側板を設け、物品支持タブを側板と一体に形成した構成によれば、頂板に対して側板を下方に向けるように折曲することによって物品支持タブの先端部を上方に向けることができる。これにより、物品運搬体を持ち上げることで物品支持タブの先端部を一層容易かつ確実に頂部の縁部に引っ掛けることができる。
【００１５】
さらに、本パッケージの物品運搬体は、１つの物品支持タブのみによって物品を支持するものであり、また各物品支持タブは、頂板の側縁側に形成されているので、各物品から物品運搬体を取り外すときには、頂板の側縁側を各物品支持タブが下方を向くように折曲することのみにより、各物品支持タブの先端部を各頂部の縁部から容易に解放することができる。
【発明の効果】
【００１６】
以上述べたように、本発明に係るパッケージおよび物品運搬体によれば、複数の物品に容易に物品運搬体を装着することができ、また各物品を一体に保持して容易に運搬することができ、さらには各物品から物品運搬体を容易に取りはずすことができる。
【発明を実施するための最良の形態】
【００１７】
以下、本発明に記載のパッケージの一実施形態を図１から図５を参照して説明する。
【００１８】
図１は、本実施形態に係るパッケージを示す斜視図、図２は、図１のパッケージを示すＡ−Ａにおける断面図である。
【００１９】
図１および図２に示すように、前記パッケージ１は、複数（本実施形態においては６つ）の物品としてペットボトル２を有し、前記ペットボトル２は、飲料等が入れられる容器部３と前記容器部３の開口３ａを封止めする蓋部５とから構成されている。前記容器部３は、底壁３ｂを有する円柱形状の本体３ｃを有し、前記本体３ｃには、本体３ｃの上縁から内側に向かって傾斜しながら上昇する肩部３ｄを介して本体３ｃよりも直径の小さい円柱形状の首部３ｅが連設され、首部３ｅの上縁は、容器部３の開口３ａとされている。前記蓋部５は、前記首部３ｅの上側を被覆することにより容器部３の開口３ａを封止するようになっており、蓋部５の下縁は、首部３ｅよりも半径方向外方に張り出す形状に形成された縁部５ａとされている。
【００２０】
また、前記パッケージ１は、６つのペットボトル２を一体に保持するための厚紙やプラスチック等からなる物品運搬体７を有し、前記物品運搬体７は、図３に示すように、長方形状の頂板８を有している。この頂板８の幅寸法Ｗ１  は、ペットボトル２の肩部３ｄの平面形状における寸法および首部３ｅの直径寸法にほぼ対応して形成され、本実施形態においては、２本のペットボトル２の首部３ｅおよび各ペットボトル２の一方の肩部３ｄを平面形状において被覆することができる寸法に形成されている。また、本実施形態において頂板８の長さ寸法Ｌ１  は、３本のペットボトル２の本体３ｃの直径寸法に形成されている。
【００２１】
頂板８の幅方向における中央部分には、一対のハンドル手段としての指挿入孔９が、頂板８の長手方向に並列して対向するように形成されている。
【００２２】
頂板８の両側縁には、折曲線１１を介してほぼ長方形状の第１側板１２がそれぞれ設けられており、各第１側板１２の幅寸法Ｗ２  は、ペットボトル２の肩部３ｄの側面形状における長さ寸法とほぼ同一の寸法に形成されている。さらに、各第１側板１２の側縁には、折曲線１３を介してそれぞれ長方形状の第２側板１４が設けられている。
【００２３】
頂板８における指挿入孔９と頂板８の各側縁との間には、ペットボトル２の蓋部５を挿入可能な物品挿入孔１６が形成されており、本実施形態においては、指挿入孔９と頂板８の各側縁との間にそれぞれ３つ、合計６つの物品挿入孔１６が頂板８の長手方向に所定の間隙をもって並列して形成されている。
【００２４】
前記各物品挿入孔１６は、頂板８上において指挿入孔９側に位置する中央縁１６ａおよび中央縁１６ａの両端部から頂板８の各側縁に達するように形成された両腕縁１６ｂからなる略Ｃ字状またはＵ字状の自由端縁１６ｃを有している。
【００２５】
物品挿入孔１６の第１側板１２側には、物品挿入孔１６と一体に形成されて物品挿入孔１６に挿入されたペットボトル２における蓋部５の縁部５ａを支持する物品支持タブ１８がそれぞれ形成されており、各物品支持タブ１８の両端縁は、各物品挿入孔１６の両腕縁１６ｂの端部に連設されている。さらに、各物品支持タブ１８は、第１側板１２と一体に形成されており、各物品支持タブ１８の先端部１８ａが頂板８の側縁を越えて指挿入孔９側に突出するように形成されている。
【００２６】
そして、本実施形態においては特に、前記各物品挿入孔１６は、両腕縁１６ｂ間の最大距離Ｄ１  が、物品の蓋部５の直径寸法より長くなるように形成されている。また、中央縁１６ａと物品支持タブ１８の先端部１８ａとの間の距離Ｄ２  が、前記蓋部５の直径寸法より短くなるように形成されている。さらに、中央縁１６ａと物品支持タブ１８の基端縁との間の距離Ｄ３  が、前記蓋部５の直径寸法より長くなるように形成されている。
【００２７】
次に、本実施形態の作用について説明する。
【００２８】
まず、物品運搬体７の各折曲線１１に沿って第２側板１４の側縁が下方に向くように両第１側板１２を折曲し、また、両折曲線１３に沿って第２側板１４を第１側板１２に対して折曲する。すると、両第１側板１２と一体に形成されている各物品支持タブ１８の先端部１８ａは、上方に向きながら蓋部５の縁部５ａの下方に位置することとなる。
【００２９】
続いて、物品挿入孔１６に物品の蓋部５を頂板８の下側から挿入する。ここで、各物品挿入孔１６は、中央縁１６ａと物品支持タブ１８の先端縁との間の距離Ｄ２  が蓋部５の直径より短く形成されているが、各物品支持タブ１８の先端部は上方に向いており、中央縁１６ａと物品支持タブ１８の基端縁との間の距離Ｄ３  は蓋部５の直径より長く形成されているので、蓋部５を物品支持タブ１８の先端部１８ａに沿わせながら物品挿入孔１６に容易に挿入することができる。
【００３０】
このように、物品運搬体７を各ペットボトル２に装着することにより、パッケージ１が完成する。このパッケージ１においては、第１側板１２が各ペットボトル２の肩部３ｄに沿い、第２側板１４は本体３ｃの上側に沿うこととなる。
【００３１】
このパッケージ１を運搬する場合、図４に示すように、各指挿入孔９に指を挿入して頂板８を持ち上げると、上方に向いている各物品支持タブ１８の先端部１８ａが、持ち上げられた頂板８の中央部の方向に上昇されて各蓋部５の縁部５ａに引っ掛かる。これにより、各蓋部５の縁部５ａに引っ掛かっている各物品支持タブ１８によってペットボトル２を支持して、物品運搬体７とともに各ペットボトル２を一体に持ち上げることができる。
【００３２】
さらに、パッケージ１において各ペットボトル２から物品運搬体７を取り外す場合、図５に示すように、折曲線１１を介して第２側板１４の側縁が上方に向くように第１側板１２および第２側板１４を折曲する。すると、第１側板１２と一体に形成されている各物品支持タブ１８の先端部１８ａは、下方に向くこととなり、各物品支持タブ１８は蓋部５の縁部５ａから解放される。そして、そのまま第１側板１２および第２側板１４を持ち上げることにより、物品運搬体７をペットボトル２から取り外すことができる。
【００３３】
本実施形態によれば、指挿入孔９に指を挿入して物品運搬体７を持ち上げることによって物品支持タブ１８の先端部を蓋部５の縁部５ａに引っ掛けることができ、この縁部５ａに引っ掛かっている物品支持タブ１８によってペットボトル２を支持することができる。これにより、物品運搬体７によって各ペットボトル２を一体に保持して持ち上げることができる。
【００３４】
また、頂板８の側縁に折曲線１１を介して第１側板１２が設けられ、物品支持タブ１８は前記第１側板１２と一体に形成されているので、頂板８に対して第１側板１２を下方に向けるように折曲することによって物品支持タブ１８の先端部１８ａを上方に向けることができる。これにより、物品運搬体７を持ち上げることによって物品支持タブ１８の先端部を一層容易かつ確実に蓋部５の縁部５ａに引っ掛けることができる。
【００３５】
さらに、本パッケージ１の物品運搬体７は、１つの物品支持タブ１８のみによってペットボトル２を支持するものであり、また各物品支持タブ１８は、頂板８の側縁側に形成されている。このため、各ペットボトル２から物品運搬体７を取り外すときには、各物品支持タブ１８の先端部１８ａが下方を向くように第１側板１２を折曲することのみにより、各物品支持タブ１８を各蓋部５の縁部５ａから容易に解放することができる。
【００３６】
したがって、本パッケージ１によれば、複数のペットボトル２に物品運搬体７を容易に装着することができ、また各ペットボトル２を一体に保持して容易に運搬することができ、さらには各ペットボトル２から物品運搬体７を容易に取りはずすことができる。
【００３７】
なお、本発明は前記実施形態に限定されるものではなく、必要に応じて種々変更することが可能である。
【００３８】
例えば、本実施形態においては、物品としてペットボトル２を用いて説明しているが、これに限定されるものではなく、半径方向外方に張り出す縁部５ａを備えたものであればよく、例えば蓋部５において前記縁部５ａを備えた首長形状のビン等の種々の物品を用いることができる。
【００３９】
また、ハンドル手段も、本実施形態の指挿入孔９に限定されず、持ち手等の物品運搬体７を持ち上げることができるものであればよい。
【００４０】
さらに、本実施形態においては指挿入孔９と頂板８の各側縁との間、すなわち頂板８の幅方向における指挿入孔９の両側に物品挿入孔１６が形成されているが、これに限定されるものではない。例えば、頂板８の一側縁側にハンドル手段を形成し、このハンドル手段と頂板８の他側縁との間、すなわち頂板８の幅方向におけるハンドル手段の片側のみに物品挿入孔を形成するものであってもよい。
【図面の簡単な説明】
【００４１】
【図１】本発明に係るパッケージの一実施形態を示す斜視図
【図２】図１のパッケージを示すＡ−Ａにおける断面図
【図３】図１のパッケージを構成する物品運搬体を示す平面図
【図４】図１のパッケージを持ち上げる一工程を示す拡大側面図
【図５】図１のパッケージにおいて物品から物品運搬体を取り外す一工程を示す拡大側面図
【符号の説明】
【００４２】
１  パッケージ
２  ペットボトル
３  容器部
５  蓋部
５ａ  縁部
７  物品運搬体
８  頂板
９  指挿入孔
１２  第１側板
１４  第２側板
１６  物品挿入孔
１６ａ  中央縁
１６ｂ  腕縁
１６ｃ  自由端縁
１８  物品支持タブ
１８ａ  先端部
【図１】
2005255208.tif 000003
【図２】
2005255208.tif 000004
【図３】
2005255208.tif 000005
【図４】
2005255208.tif 000006
【図５】
2005255208.tif 000007